(57)【要約】【課題】複数のリレーユニットが組み込まれた系統保護リレー装置に対して、１つのＩＰアドレスを設定するだけで、各リレーユニットの監視・制御を可能とする。【解決手段】ＰＣ（51）の操作によって、複数のリレーユニット（11、12）で構成された系統保護リレー装置（10）の所望のリレーユニットに接続し、接続したリレーユニットの装置情報データをＰＣの画面に表示させ、また接続したリレーユニットの特性設定値を制御する系統保護リレー装置用のデータ通信システムであって、ＰＣが各リレーユニットと接続するのに必要なＵＲＬ（51a）は、ＩＰアドレスは同一であるが、各リレーユニットに対応する異なるポートナンバーが設定されており、系統保護リレー装置は、ＵＲＬで設定されたポートナンバーに基づいてＰＣが通信する相手のリレーユニットを設定する機能を有するＩＰ中継手段(14)を備える。【選択図】図１
2006311407.tif 000002
【特許請求の範囲】
【請求項１】
監視・制御用のパーソナルコンピュータの操作によって、複数のリレーユニットで構成された系統保護リレー装置の所望のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、
上記パーソナルコンピュータが各リレーユニットと接続するのに必要なＵＲＬは、ＩＰアドレスは同一であるが、各リレーユニットに対応する異なるポートナンバーが設定されており、
上記系統保護リレー装置は、上記ＵＲＬで設定されたポートナンバーに基づいて、上記パーソナルコンピュータが通信する相手のリレーユニットを設定する機能を有するＩＰ中継手段を備えていることを特徴とする系統保護リレー装置用のデータ通信システム。
【請求項２】
上記ＩＰ中継手段は、上記ＵＲＬに設定されているＩＰアドレスとポートナンバーを通信する相手のリレーユニットのＩＰアドレスとポートナンバーに変換することを特徴とする請求項１に記載の系統保護リレー装置用のデータ通信システム。
【請求項３】
監視・制御用のパーソナルコンピュータの操作によって、複数のリレーユニットで構成された系統保護リレー装置の所望のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、
送信されるアプリケーションデータに通信する相手のリレーユニットを識別する識別子が付加されており、
上記系統保護リレー装置は、上記識別子に基づいて、通信する相手のリレーユニットを設定する機能を有するＩＰ中継手段を備えていることを特徴とする系統保護リレー装置用のデータ通信システム。
【請求項４】
上記ＩＰ中継手段は、上記識別子に基づいて、送信されてくるＩＰアドレスとポートナンバーを通信する相手のリレーユニットのＩＰアドレスとポートナンバーに変換することを特徴とする請求項３に記載の系統保護リレー装置用のデータ通信システム。
【請求項５】
監視・制御用のパーソナルコンピュータの操作によって、系統保護リレー装置のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、
上記リレーユニットは、ＩＰアドレスが異なる複数のＷｅｂサーバー搭載カードが配置されており、
通信が正常に行えないＷｅｂサーバー搭載カードを検出すると、送信先を別のＷｅｂサーバー搭載カードのＩＰアドレスへ変更して通信を行わせる機能を有するＩＰ中継手段を備えていることを特徴とする系統保護リレー装置用のデータ通信システム。
【発明の詳細な説明】
【技術分野】
【０００１】
この発明は、監視・制御用のＰＣ（パーソナルコンピュータ）の操作によって、複数のリレーユニットで構成された系統保護リレー装置の所望のリレーユニットに接続してＴＣＰ／ＩＰ（transmission control protocol／internet protocol）通信を行い、接続したリレーユニットの装置情報データを監視・制御用のＰＣの画面に表示させ、また、接続したリレーユニットの特性設定値を制御する系統保護リレー装置用のデータ通信システムに関する。
【背景技術】
【０００２】
電力系統保護制御システムに用いられる系統保護リレー装置は、その装置構成上は１台の装置であっても、複数のリレーユニットで構成されている場合が多い。
この１台の系統保護リレー装置内に配置された複数のリレーユニットの夫々は、監視・制御用のＰＣにより装置情報データ（例えば、リレーの整定値、電圧値、抵抗値、温度などの特性データ）を監視する必要がある。
そのため、監視・制御用のＰＣの画面上での操作によって、所望のリレーユニットに接続して、ＴＣＰ／ＩＰ通信をしなければならず、夫々のリレーユニットにＩＰアドレスを割当てる必要がある。
【０００３】
しかし、管理上の制約やＩＰアドレス数の制限などの関係から、電力会社によっては、１台の系統保護リレー装置に対し、１つのＩＰアドレスしか割当てないケースがある。
従来は、系統保護リレー装置が１台であっても、画面操作や監視が必要なリレーユニットが複数台組み込まれている場合は、１つのリレーユニットに対して１つのＩＰアドレスの割当が必要になっていた。
【０００４】
図１４は、従来の系統保護リレー装置用のデータ通信システムの構成を説明するための図である。
図において、４０は従来の系統保護リレー装置であって、系統保護リレー装置４０には複数のリレーユニット（例えば、リレーユニットＡ４１およびリレーユニットＢ４２の２台のリレーユニット）が組み込まれている。
そして、この２台のリレーユニット（リレーユニットＡ４１、リレーユニットＢ４２）は、互い互いに異なるＩＰアドレスが割り当てられている。
例えば、図に示すように、リレーユニットＡ４１のＩＰアドレスとして“Ａ．Ｂ．Ｃ．Ｘ”が、リレーユニットＢ４２のＩＰアドレスとして“Ａ．Ｂ．Ｃ．Ｙ”が割り当てられているとする。
【０００５】
５４は、系統保護リレー装置４０内に組み込まれた各リレーユニットを監視したり制御したりするための監視・制御用のＰＣである。
このＰＣ５４の画面上の操作によって、ＰＣ５４を系統保護リレー装置４０内の所望のリレーユニットに接続してＴＣＰ／ＩＰ通信を行い、接続したリレーユニットの整定値、電流値、抵抗値、温度などの装置情報データを取得し、画面上に表示させさせたり、あるいは、接続したリレーユニットの整定値、電流値、抵抗値などの特性値を所定の値に変更（即ち、特性設定値の変更）する操作を行ったりするための操作を行う。
また、４１ａはリレーユニットＡ４１内に組み込まれ（差し込まれ）、リレーユニットＡ４１とＰＣ５４とが通信を行うためのＷｅｂサーバー搭載カード（図中ではＷｅｂカードと簡略表記）であり、４２ａはリレーユニットＢ４２内に組み込まれ、リレーユニットＢ４２とＰＣ５４とが通信を行うためのＷｅｂサーバー搭載カードである。
【０００６】
ここで、ＰＣ５４のＩＰアドレスは、“Ａ．Ｂ．Ｃ．Ａ”であるとする。
また、５４ａは、リレーユニットＡ４１あるいはリレーユニットＢ４２と通信する際に、ＰＣ５４の画面において設定されるリレーユニットのＵＲＬ（uniform resource locator）を示しており、このＵＲＬ５４ａには接続する相手のリレーユニットのＩＰアドレスが設定されている。
例えば、ＵＲＬ５４ａに示すように、リレーユニットＡ４１のＵＲＬとして“ｈｔｔｐ：／／Ａ．Ｂ．Ｃ．Ｘ／＊＊．ｈｔｍｌ”が設定されており、リレーユニットＢ４２のＵＲＬとして“ｈｔｔｐ：／／Ａ．Ｂ．Ｃ．Ｙ／＊＊．ｈｔｍｌ”が設定されている。
また、４３は接続用集線装置であるハブ（hub）、６０はＴＣＰ／ＩＰケーブルであり、リレーユニットＡ４１およびリレーユニットＢ４２は、ＰＣ５４の画面上において、対応するＵＲＬが設定されることによって、ＴＣＰ／ＩＰケーブル６０とハブ４３を経由して、夫々ＰＣ５４と接続されてＴＣＰ／ＩＰ通信が行える。
【０００７】
図１５は、ＰＣ５４からリレーユニットＡ４１またはリレーユニットＢ４２に送信する際のデータ構成の例を示したものであり、送信されるデータは、送信元（ＰＣ５４）のアドレス、送信先（リレーユニット）のアドレスおよび後述するアプリケーションデータＡで構成されている。
また、図１６は、リレーユニットＡ４１またはリレーユニットＢ４２からＰＣ５４へ送信（応答）する際のデータ構成の例を示したものであり、送信されるデータは、送信元（リレーユニット）のアドレス、送信先（ＰＣ５４）のアドレスおよび後述するアプリケーションデータＢで構成されている。
【０００８】
ここで、まず、リレーユニットＡ４１の装置情報データ（整定値、電流値、抵抗値、温度など）を表示させる場合について説明する。
即ち、リレーユニットＡ４１の装置状態を監視する場合について説明する。
この場合、ＰＣ５４の画面上で汎用ブラウザを起動し、図１４のＵＲＬ５４ａに示されたリレーユニットＡ４１のＵＲＬ“ｈｔｔｐ：／／Ａ．Ｂ．Ｃ．Ｘ／＊＊．ｈｔｍｌ”を設定する。
これにより、ＰＣ５４から装置情報データの送信を要求するアプリケーションデータＡと共に、送信元（ＰＣ）アドレスおよび送信先（リレーユニット）アドレスが設定されたデータが送信される。
なお、アプリケーションデータＡには、装置情報データの送信要求情報の他に、具体的にどのような装置情報データを要求するのかの情報も含まれるものとする。
【０００９】
送信されるデータのアドレス設定内容は、図１５に示した通りであり、リレーユニットＡ４１と通信を行う場合は、送信元アドレスとして、ＰＣ５４のＩＰアドレス“Ａ．Ｂ．Ｃ．Ａ”と、ＰＣ５４でブラウザが起動時に自動的に指定されるＰｏｒｔＮＯ（ポートナンバー）“１０００”が設定される。
また、送信先アドレスとして、図１４のＵＲＬ５４ａに示したリレーユニットＡ４１のＵＲＬ“ｈｔｔｐ：／／Ａ．Ｂ．Ｃ．Ｘ／＊＊．ｈｔｍｌ”から取得したＩＰアドレス“Ａ．Ｂ．Ｃ．Ｘ”と、デフォルト（default）のＰｏｒｔＮＯ“８０”が設定される。
なお、デフォルトのＰｏｒｔＮＯとは、自動的に初期値として設定されるポートナンバーのことである。
【００１０】
ＰＣ５４から送信された送信データは、ＴＣＰ／ＩＰケーブル６０およびハブ４３を経由して、リレーユニットＡ４１およびリレーユニットＢ４２へ到達する。
リレーユニットＡ４１に組み込まれているＷｅｂサーバー搭載カード４１ａは、ＰＣ５４から送信されたデータの送信先のＩＰアドレス“Ａ．Ｂ．Ｃ．Ｘ”が自身のＩＰアドレス“Ａ．Ｂ．Ｃ．Ｘ”と一致するのでデータを受信し、任意の処理（例えば、アプリケーションデータＡの要求に応じて、整定値を変更処理したり、抵抗値や電流値を取得して、所定の応答用フォーマットにする処理など）後、後述する装置情報データ応答用のアプリケーションデータＢを作成する。
なお、リレーユニットＢ４２は、ＰＣ５４から送信されたデータの送信先のＩＰアドレスが、自身に組み込まれているＷｅｂサーバー搭載カード４２ａのＩＰアドレスと一致しないので、送信されてきたデータは受信しない。
【００１１】
リレーユニットＡ４１またはリレーユニットＢ４２からＰＣ５４へ送信されるデータは、図１６に示すように、装置情報データ応答用のアプリケーションデータ（即ち、リレーユニットの装置情報データ）Ｂと共に、送信元（リレーユニット）アドレスおよび送信先（ＰＣ）アドレスが設定されたデータが送信される。
送信されるデータのアドレス設定内容は、送信元アドレスには、受信したデータの送信先のＩＰアドレスと、ＰｏｒｔＮＯが設定され、送信先アドレスには、受信したデータの送信元のＩＰアドレスとＰｏｒｔＮＯが設定される。
例えば、リレーユニットＡ４１からＰＣ５４へデータを送信する場合、図１６に示すように、送信されるデータのアドレス設定内容は、送信元アドレスとしてリレーユニットＡ４１のＩＰアドレス“Ａ．Ｂ．Ｃ．Ｘ”とＰｏｒｔＮＯ“８０”が設定される。
また、送信先アドレスとして、ＰＣ５４のＩＰアドレス“Ａ．Ｂ．Ｃ．Ａ”とＰｏｒｔＮＯ“１０００”が設定される。
【００１２】
リレーユニットＡ４１から送信されるデータは、ＴＣＰ／ＩＰケーブル６０およびハブ４３を経由して、ＰＣ５４やリレーユニットB４２に到達する。
ＰＣ５４は、リレーユニットＡ４１から送信されてくるデータの送信先のＩＰアドレス“Ａ．Ｂ．Ｃ．Ａ”が自身のＩＰアドレス“Ａ．Ｂ．Ｃ．Ａ”と一致するので、ＰＣ５４送信されてくるデータを受信し、任意の処理を施して、ＰＣ５４上の画面に表示する。
なお、リレーユニットＢ４２は、リレーユニットＡ４１から送信されたデータの送信先のＩＰアドレスが、自身に組み込まれているＷｅｂサーバー搭載カード４２ａのＩＰアドレスと一致しないので、データは受信しない。
以上は、リレーユニットＡ４１の装置情報データをＰＣ５４の画面に表示させる場合について説明したが、リレーユニットＢ４２の装置情報データをＰＣ５４の画面に表示させる場合も同様な手順で通信される。
【００１３】
なお、リレーユニットＡ４１とリレーユニットB４２とではＵＲＬが異なるので、夫々の装置情報データをＰＣ５４の画面に表示させるためには、ＰＣ５４にはリレーユニットの数に応じてブラウザが複数必要となる。
さらに、リレーユニットＡ４１の画面を操作後、リレーユニットB４２の画面を操作しようとした場合、意識的にブラウザを切替える必要がある。
また、リレーユニットの装置情報データを画面表示させるための通信は、ＰＣ５４と、リレーユニットＡ４１のＷｅｂサーバー搭載カード４１ａおよびリレーユニットＢ４２のＷｅｂサーバー搭載カード４２ａのカード間で行っているが、もし、Ｗｅｂサーバー搭載カード４１ａあるいはＷｅｂサーバー搭載カード４２ａのどちらかが壊れて通信不能となった場合、壊れたＷｅｂサーバー搭載カードが組み込まれているリレーユニットの装置情報データを画面に表示して監視することができなくなる。
【００１４】
また、特開２００１−４５０５０号公報には、例えば実施の形態４７に、複数の電気所にそれぞれ配置された複数の保護リレー装置と、該複数の保護リレー装置に格納されている電子データへのアクセスを可能にするソフトウエアを搭載し、そのソフトウエアを実行することにより、その電子データをハブを経由して取得して、複数の保護リレー装置内の電子データを画面に表示する電子端末とを備え、保護リレー装置を構成する複数のリレー要素が個別にユニット化され、これらユニット化された各リレー要素が個別にハブに接続されている電力系統保護制御システムが示されており、これによりリレー要素の追加や取り替えは、該当リレー要素のみでよく、容易かつ安価にできることが記載されている。
【特許文献１】特開２００１−４５０５０号公報（図１、図１９、段落０１７３）
【発明の開示】
【発明が解決しようとする課題】
【００１５】
監視・制御用のＰＣで装置情報データ（例えば、現状でのリレーの整定値、電圧値、抵抗値、温度などのデータ）を監視したり、あるいはリレーの整定値、電圧値、抵抗値などの特性値を所定の値に設定変更する必要のあるリレーユニットが１台の系統保護リレー装置の中に複数台組み込まれている場合、監視・制御用のＰＣ上での画面操作によって、所望のリレーユニットに接続し、ＴＣＰ／ＩＰ通信をすることにより接続されたリレーユニットの装置情報データをＰＣの画面に表示させたり、リレーの整定値、電圧値、抵抗値などを所定の値に設定変更する。
この場合、上述した従来技術では夫々のリレーユニットに対して、異なるＩＰアドレスを割り振らないと、ハブ等のネットワークを経由してＴＣＰ／ＩＰ通信をすることができない。
特開２００１−４５０５０号公報に示された従来の電力系統保護制御システムにおいても同様である。
そのため、監視・制御の対象とする系統保護リレー装置が１台であっても、各リレーユニットに組み込まれたＷｅｂサーバー搭載カードに対応させて複数のＩＰアドレスが必要となるので、系統保護リレー装置を使用・管理する側から見た場合、管理しづらいという欠点があった。
【００１６】
また、ＰＣ上で複数のリレーユニットの装置情報データを監視したり、あるいはリレーの整定値、電圧値、抵抗値などを所定の値に設定変更する場合には、ブラウザを複数起動して、夫々をリレーユニット単位に接続してＴＣＰ／ＩＰ通信する必要があった。
【００１７】
また、リレーユニットに組み込まれているＷｅｂサーバー搭載カードが故障した場合、系統保護リレー装置のメイン機能が正常であっても、ＰＣとリレーユニット間でＴＣＰ／ＩＰ通信を行うことができず、例えば、ＰＣ上からリレーユニットの装置情報データを確認できなくなるという問題があった。
【００１８】
この発明は、上述のような課題を解決するためになされたもので、１台の系統保護リレー装置の中に複数のリレーユニットが組み込まれている場合であっても、夫々のリレーユニットにＩＰアドレスを割り振る必要がなく、１つのＩＰアドレスで複数のリレーユニットとＴＣＰ／ＩＰ通信を行って、リレーユニットを監視（即ち、監視対象のリレーユニットの装置情報データをＰＣの画面に表示）したり、リレーユニットを制御（即ち、制御対象のリレーユニットのリレーの整定値、電圧値、抵抗値などの特性値委を所定の値に設定変更）することができる系統保護リレー装置のデータ通信システムを提供することを第１の目的とする。
【００１９】
また、１台の系統保護リレー装置の中に複数のリレーユニットが組み込まれている場合であっても、ＰＣ上で１つのブラウザを起動するだけで、複数のリレーユニットとＴＣＰ／ＩＰ通信を行って、リレーユニットを監視（即ち、監視対象のリレーユニットの装置情報データをＰＣの画面に表示）したり、リレーユニットを制御（即ち、制御対象のリレーユニットのリレーの整定値、電圧値、抵抗値等の特性値を所定の値に設定変更）することができる系統保護リレー装置のデータ通信システムを提供することを第２の目的とする。
【００２０】
また、系統保護リレー装置の中に組み込まれているリレーユニットの装置情報データを操作及び監視するためのＷｅｂサーバー搭載カードが故障した場合でも、正常時と同じように、ＴＣＰ／ＩＰ通信を行って、リレーユニットを監視（即ち、監視対象のリレーユニットの装置情報データをＰＣの画面に表示）したり、リレーユニットを制御（即ち、制御対象のリレーユニットのリレーの整定値、電圧値、抵抗値などの特性値を所定の値に設定変更）することができる系統保護リレー装置のデータ通信システムを提供することを第３の目的とする。
【課題を解決するための手段】
【００２１】
この発明に係る系統保護リレー装置用のデータ通信システムは、監視・制御用のパーソナルコンピュータの操作によって、複数のリレーユニットで構成された系統保護リレー装置の所望のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、上記パーソナルコンピュータが各リレーユニットと接続するのに必要なＵＲＬは、ＩＰアドレスは同一であるが、各リレーユニットに対応する異なるポートナンバーが設定されており、上記系統保護リレー装置は、上記ＵＲＬで設定されたポートナンバーに基づいて、上記パーソナルコンピュータが通信する相手のリレーユニットを設定する機能を有するＩＰ中継手段を備えているものである。
【００２２】
また、この発明に係る系統保護リレー装置用のデータ通信システムは、監視・制御用のパーソナルコンピュータの操作によって、複数のリレーユニットで構成された系統保護リレー装置の所望のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、送信されるアプリケーションデータに通信する相手のリレーユニットを識別する識別子が付加されており、上記系統保護リレー装置は、上記識別子に基づいて、通信する相手のリレーユニットを設定する機能を有するＩＰ中継手段を備えているものである。
【００２３】
また、この発明に係る系統保護リレー装置用のデータ通信システムは、監視・制御用のパーソナルコンピュータの操作によって、系統保護リレー装置のリレーユニットに接続してＴＣＰ／ＩＰ通信を行い、接続したリレーユニットの装置情報データを上記監視・制御用のパーソナルコンピュータの画面に表示させ、また、接続したリレーユニットの特性設定値を制御する系統保護リレー装置用のデータ通信システムであって、上記リレーユニットは、ＩＰアドレスが異なる複数のＷｅｂサーバー搭載カードが配置されており、通信が正常に行えないＷｅｂサーバー搭載カードを検出すると、送信先を別のＷｅｂサーバー搭載カードのＩＰアドレスへ変更して通信を行わせる機能を有するＩＰ中継手段を備えているものである。
【発明の効果】
【００２４】
この発明によれば、パーソナルコンピュータが各リレーユニットと接続するのに必要なＵＲＬは、ＩＰアドレスは同一であるが、各リレーユニットに対応する異なるポートナンバーが設定されており、系統保護リレー装置は、ＵＲＬで設定されたポートナンバーに基づいて、パーソナルコンピュータが通信する相手のリレーユニットを設定する機能を有するＩＰ中継手段を備えているので、１台の系統保護リレー装置の中に複数のリレーユニットが組み込まれている場合でも、１つのＩＰアドレスで複数のリレーユニットとＴＣＰ／ＩＰ通信を行って、各リレーユニットを監視したり制御することができる。
即ち、複数のリレーユニットが組み込まれている系統保護リレー装置に対して、１つのＩＰアドレスを割り当てるだけで、監視・制御が可能となるので、１台の系統保護リレー装置に１つのＩＰアドレスという管理方法が可能となる。
【００２５】
また、この発明によれば、送信されるアプリケーションデータに通信する相手のリレーユニットを識別する識別子が付加されており、系統保護リレー装置は該識別子に基づいて通信する相手のリレーユニットを設定する機能を有するＩＰ中継手段を備えているので、１台の系統保護リレー装置の中に複数のリレーユニットが存在していても、使用者は１つのブラウザを起動するたけで、各リレーユニットを監視したり制御することができる。
【００２６】
また、この発明によれば、リレーユニットは、ＩＰアドレスが異なる複数のＷｅｂサーバー搭載カードが配置されており、通信が正常に行えないＷｅｂサーバー搭載カードを検出すると、送信先を別のＷｅｂサーバー搭載カードのＩＰアドレスへ変更して通信を行わせる機能を有するＩＰ中継手段を備えているので、通信中のＷｅｂサーバー搭載カードが壊れて通信が正常に行えない場合でも、別のＷｅｂサーバー搭載カードを経由してリレーユニットを監視したり制御することができる。
【発明を実施するための最良の形態】
【００２７】
実施の形態１．
以下、図面に基づいて、本発明の一実施の形態について説明する。
図１は、この発明の実施の形態１による系統保護リレー装置用のデータ通信システムの構成例を示す図である。
図１において、１０は系統保護リレー装置であり、系統保護リレー装置１０の中には、リレーユニットＡ１１、リレーユニットＢ１２、ハブ１３、ＩＰ（internet protocol）中継手段（ＩＰ中継ユニット）１４が組み込まれている。
５１は、その画面上での操作によって、系統保護リレー装置１０内に組み込まれているリレーユニットＡ１１あるいはリレーユニットＢ１２の装置情報データ（例えば、リレーの整定値、電流値、抵抗値、温度などの特性データ）を画面に表示して監視したり、また、リレーユニットＡ１１あるいはリレーユニットＢ１２のリレーの整定値、電圧値、抵抗値などの特性値を所定の値に設定変更して制御するためのＰＣである。
ＰＣ５１は、系統保護リレー装置１０内のＩＰ中継手段１４とＴＣＰ／ＩＰケーブル６０で接続されている。
【００２８】
１１ａは、リレーユニットＡ１１とＰＣ５１とがＴＣＰ／ＩＰ通信するために、リレーユニットＡ１１内に組み込まれているＷｅｂサーバー搭載カードである。
同様に、１２ａは、リレーユニットＢ１２とＰＣ５１とがＴＣＰ／ＩＰ通信するために、リレーユニットＢ１２内に組み込まれているＷｅｂサーバー搭載カードである。
なお、図中におけるリレーユニットに組み込まれているＣＰＵカード（参照符合なし）は、系統保護リレー装置としての基本的な動作を行わせるものであって、例えば、リレーの電流値や電圧値などの入力情報から、短絡などの自己判定の演算処理を実施して、その演算結果に基づいて送電線に繋がる遮断器等へのトリップ指令を出力する。
１４ａは、ＩＰアドレスを変換するＳ／Ｗが組み込まれたイーサネット（登録商標）カードであり、ＩＰ中継手段（ＩＰ中継ユニット）１４内に組み込まれている。
つまり、ＩＰ中継手段１４の機能はイーサネット（登録商標）カード１４ａの機能そのものである。
【００２９】
また、ＰＣ５１、イーサネット（登録商標）カード１４ａ、Ｗｅｂサーバー搭載カード１１ａおよびＷｅｂサーバー搭載カード１２ａは、夫々異なるＩＰアドレスが割り当てられている。
例えば、図に示すように、ＰＣ５１のＩＰアドレスは“Ａ．Ｂ．Ｃ．Ａ”、イーサネット（登録商標）カード１４ａのＩＰアドレスは“Ａ．Ｂ．Ｃ．Ｘ”、Ｗｅｂサーバー搭載カード１１ａのＩＰアドレスは“Ｄ．Ｅ．Ｆ．Ｇ”、Ｗｅｂサーバー搭載カード１２ａのＩＰアドレスは“Ｄ．Ｅ．Ｆ．Ｈ”と割り当てられている。
なお、Ｗｅｂサーバー搭載カード１１ａおよびＷｅｂサーバー搭載カード１２ａのＩＰアドレスは、通常は利用者が割り付けるべきＩＰアドレスでなく、導入時に設定する固定的なＩＰアドレスである。
【００３０】
また、５１ａは、ＰＣ５１が系統保護リレー装置１０内のリレーユニットＡ１１あるいはリレーユニットＢ１２と通信する際に、ＰＣ５１において設定されるＵＲＬを示しており、例えば、図に示すように、リレーユニットＡ１１のＵＲＬとして“ｈｔｔｐ：／／Ａ．Ｂ．Ｃ．Ｘ／＊＊．ｈｔｍｌ：８０”が設定されており、リレーユニットＢ１２のＵＲＬとして“ｈｔｔｐ：／／Ａ．Ｂ．Ｃ．Ｘ／＊＊．ｈｔｍｌ：８０８０”が設定されているとする。
ここで、“Ａ．Ｂ．Ｃ．Ｘ”は、ＰＣ５１が接続されるＩＰ中継手段１４のＩＰアドレス（即ち、イーサネット（登録商標）カード１４ａのＩＰアドレス）である。
また、“８０”はリレーユニットＡ１１に組み込まれているＷｅｂカード１１ａのＰｏｒｔＮＯとして予め設定されているものであり、“８０８０”はリレーユニットＢ１２に組み込まれているＷｅｂカード１２ａのＰｏｒｔＮＯとして予め設定されているものである。
つまり、リレーユニットＡ１１に組み込まれているＷｅｂカード１１ａのＰｏｒｔＮＯとして“８０”が、リレーユニットＢ１２に組み込まれているＷｅｂカード１２ａのＰｏｒｔＮＯとして“８０８０”が、それぞれ予め設定されている。
【００３１】
図２は、ＰＣ５１からＩＰ中継手段１４に対してデータを送信する際に設定される送信データのデータ構成の例を示している。
図３は、ＩＰ中継手段１４からＰＣ５１に対してデータを送信する際に設定される送信データのデータ構成の例を示している。
図４は、ＩＰ中継手段１４からリレーユニットＡ１１あるいはリレーユニットＢ１２に対してデータを送信する際に設定される送信データのデータ構成の例を示している。
図５は、リレーユニットＡ１１あるいはリレーユニットＢ１２からＩＰ中継手段１４に対してデータを送信する際の送信データのデータ構成の例を示している。
また、図６は、ＩＰ中継手段１４のイーサネット（登録商標）カード１４ａに組み込まれているＩＰアドレスとＰｏｒｔＮＯを変換するＳ／Ｗである変換テーブル（変換ＴＢＬ）である。
【００３２】
図１〜図６を用いて、本実施の形態による系統保護リレー装置用のデータ通信システムの動作について説明する。
リレーユニットＡ１１の装置情報データをＰＣ５１の画面に表示させる場合について説明する。
この場合、まず、ＰＣ５１上で汎用ブラウザを起動し、ＵＲＬ５１ａで設定されているリレーユニットＡ１１のＵＲＬ“ｈｔｔｐ：／／Ａ．Ｂ．Ｃ．Ｘ／＊＊．ｈｔｍｌ：８０”を指定することにより、ＰＣ５１から装置情報データを要求するアプリケーションデータＡと共に、設定されたデータ（即ち、送信元アドレスおよび送信先アドレス）がＰＣ５１からＩＰ中継手段１４のイーサネット（登録商標）カード１４ａに送信される。
なお、アプリケーションデータＡは、リレーユニットに対して装置情報データの送信を要求する情報と共に、具体的にどのような装置情報データを要求するのかの情報も含まれたものである。
【００３３】
この際、送信されるデータのアドレス設定内容は、図２に示すように、送信元アドレスとしてはＰＣ５１のＩＰアドレス“Ａ．Ｂ．Ｃ．Ａ”と、ブラウザが起動時に自動的に指定されるＰｏｒｔＮＯ“１０００”が設定される。
また、送信先アドレスとしては、図１のＵＲＬ５１ａに示したリレーユニットＡ１１のＵＲＬから取得したＩＰアドレス“Ａ．Ｂ．Ｃ．Ｘ”とリレーユニットＡ１１のＰｏｒｔＮＯ“８０”が設定される。
なお、“Ａ．Ｂ．Ｃ．Ｘ”は、ＩＰ中継手段１４に組み込まれているイーサネット（登録商標）カード１４ａのＩＰアドレスである。
ＰＣ５１から送信されるデータは、ＴＣＰ／ＩＰケーブル６０を経由してＩＰ中継手段１４へ到達する。
【００３４】
ＩＰ中継手段１４にあるイーサネット（登録商標）カード１４ａは、ＰＣ５１から送信されてきたデータの送信先のＩＰアドレスが、自身のＩＰアドレスと一致するので、データを受信し、受信したデータの送信先アドレスを図６に示した変換ＴＢＬ（変換テーブル）に基づいて変換し、アプリケーションデータＡと共に、図４のように設定された構成のデータをリレーユニット側へ送信する。
即ち、ＩＰ中継手段１４からリレーユニット側へ送信されるデータのアドレス設定内容は、送信元アドレスとしては、ＰＣ５１から受信したデータ送信先アドレスのＩＰアドレス“Ａ．Ｂ．Ｃ．Ｘ”とＰｏｒｔＮＯ“８０”が設定され、送信先アドレスとしては、送信元アドレスを図６に示した変換ＴＢＬに基づいて変換したＩＰアドレス“Ｄ．Ｅ．Ｆ．Ｇ”と、ＰｏｒｔＮＯ“８０”が設定される。
即ち、送信先アドレスとして、予め設定されているリレーユニットＡ１１のＩＰアドレス“Ｄ．Ｅ．Ｆ．Ｇ”とＰｏｒｔＮＯ“８０”が設定される。
【００３５】
ＩＰ中継手段１４から送信されるデータは、ハブ１３およびＴＣＰ／ＩＰケーブル６０を経由して、リレーユニットＡ１１およびリレーユニットＢ１２へ到達する。
リレーユニットＡ１１に組み込まれているＷｅｂサーバー搭載カード１１ａは、ＩＰ中継手段１４から送信されたデータの送信先のＩＰアドレス“Ｄ．Ｅ．Ｆ．Ｇ”が自身のＩＰアドレス“Ｄ．Ｅ．Ｆ．Ｇ”と一致するのでデータを受信し、任意の処理（例えば、アプリケーションデータＡの要求に応じてリレーの抵抗値や電流値を取得し、所定の応答用フォーマットにする処理など）した後に、装置情報応答用のアプリケーションデータＢを作成して、ＩＰ中継手段１４へ図５のように構成されたデータを送信する。
【００３６】
即ち、リレーユニットＡ１１からＩＰ中継手段１４へ送信されるデータのアドレス設定内容は、図５に示すように、送信元アドレスとしては、受信したデータの送信先アドレスのＩＰアドレス“Ｄ，Ｅ，Ｆ，Ｇ”とＰｏｒｔＮＯ“８０”が設定され、送信先アドレスとしては、受信したデータの送信元アドレスのＩＰアドレス“Ａ，Ｂ，Ｃ，Ｘ”とＰｏｒｔＮＯ“８０”が設定される。
リレーユニットＡ１１から送信されたデータは、ＴＣＰ／ＩＰケーブル６０およびハブ１３を経由して、ＩＰ中継手段１４やリレーユニットB１２に到達する。
ＩＰ中継手段１４にあるイーサネット（登録商標）カード１４ａは、受信したデータの送信先アドレスのＩＰアドレスが、自身のＩＰアドレスと一致するので、データを受信し、受信したデータの送信先アドレスを図６に示した変換ＴＢＬで変換し、アプリケーションデータBと共に、図３のように設定されたデータをＰＣ５１へ送信する。
【００３７】
即ち、ＩＰ中継手段１４からＰＣ５１へ送信されるデータのアドレス設定内容は、図３に示すように、送信元アドレスには、受信したデータの送信先アドレスのＩＰアドレス“Ａ，Ｂ，Ｃ，Ｘ”とＰｏｒｔＮＯ“８０”が設定され、送信先アドレスには、送信元アドレスを変換ＴＢＬで変換したＩＰアドレス“Ａ，Ｂ，Ｃ，Ａ”とＰｏｒｔＮＯ“１０００”が設定される。
なお、リレーユニットＢ１２は、ＩＰ中継手段１４から送信されたデータの送信先のＩＰアドレスが、自身に組み込まれているＷｅｂサーバー搭載カード１２ａのＩＰアドレスと一致しないので、データは受信しない。
【００３８】
ＩＰ中継手段１４のイーサネット（登録商標）カード１４ａから送信されたデータは、ＴＣＰ／ＩＰケーブル６０を経由して、ＰＣ５１に到達する。
ＰＣ５１は、送信されてきたデータの送信先アドレスのＩＰアドレス“Ａ，Ｂ，Ｃ，Ａ”がＰＣ５１自身のＩＰアドレス“Ａ，Ｂ，Ｃ，Ａ”と一致するのでデータを受信し、アプリケーションデータＢに対して任意の処理を施して、ＰＣ５１上の画面にリレーユニットＡ１１の装置情報データを表示する。
【００３９】
以上は、リレーユニットＡ１１の装置情報データ（即ち、リレーの整定値、電圧値、抵抗値、温度など）をＰＣ５１の画面に表示させる場合について説明したが、ＰＣ５１からリレーユニットＡ１１を制御（即ち、制御対象のリレーユニットのリレーの整定値、電圧値、抵抗値などの特性値を所定の値に設定変更）する場合は、ＰＣ５１から送信するアプリケーションデータＡとして、設定変更する対象（整定値、電圧値、抵抗値など）およびその設定値の情報を盛り込んだものとすればよい。
これにより、１台の系統保護リレー装置の中に複数のリレーユニットが組み込まれている場合であっても、夫々のリレーユニットにＩＰアドレスを割り振る必要がなく、１つのＩＰアドレスで所望のリレーユニットＡ１１とＴＣＰ／ＩＰ通信を行い、リレーユニットＡ１１を制御することができる。
【００４０】
なお、これまでの説明では、リレーユニットＡ１１とＴＣＰ／ＩＰ通信を行って、リレーユニットＡ１１を監視あるいは制御する場合について述べているが、リレーユニットＢ１１を監視あるいは制御する場合も、同様な手順でＩＰアドレスおよびＰｏｒｔＮＯを設定して、ＴＣＰ／ＩＰ通信を行い、リレーユニットＢ１１を監視あるいは制御することができる。
また、系統保護リレー装置に組み込まれるリレーユニットとして、２台の場合を例として説明しているが、これに限定されるものではなく、３台以上のリレーユニットが組み込まれていてもよい。
【００４１】
以上説明したように、本実施の形態による系統保護リレー装置用のデータ通信システムは、監視・制御用のパーソナルコンピュータ（５１）の操作によって、複数のリレーユニット（例えば、リレーユニットＡ１１、リレーユニットＢ１２）で構成された系統保護リレー装置（１０）の所望のリレーユニットに接続してＴＣＰ／ＩＰ通信を行い、接続したリレーユニットの装置情報データを監視・制御用のパーソナルコンピュータ（５１）の画面に表示させ、また接続したリレーユニットの特性設定値を制御する系統保護リレー装置用のデータ通信システムであって、パーソナルコンピュータ（５１）が各リレーユニットと接続するのに必要なＵＲＬ（５１ａ）は、ＩＰアドレスは同一であるが、各リレーユニットに対応する異なるポートナンバーが設定されており、系統保護リレー装置（１０）は、ＵＲＬ（５１ａ）で設定されたポートナンバーに基づいて、パーソナルコンピュータ（５１）が通信する相手のリレーユニットを設定する機能を有するＩＰ中継手段１４を備えている。
これにより、１台の系統保護リレー装置の中に複数のリレーユニットが組み込まれている場合でも、１つのＩＰアドレスを割り当てるだけで、所望のリレーユニットの監視・制御が可能となる。
【００４２】
実施の形態２．
図７は、この発明の実施の形態２による系統保護リレー装置用のデータ通信システムの構成例を示す図である。
本実施の形態による系統保護リレー装置用のデータ通信システムのＨ／Ｗ構成は、基本的には実施の形態１による系統保護リレー装置用のデータ通信システムと同じであるが、ＰＣ上でのリレーユニットのＵＲＬの設定方法や送信データの内容・構成・動作などが異なるので、冗長ではあるが、図１とは異なった参照符号を付して説明しておく。
図７において、２０は系統保護リレー装置であり、系統保護リレー装置２０の中には、リレーユニットＡ２１、リレーユニットＢ２２、ハブ２３、ＩＰ中継手段（ＩＰ中継ユニット）２４が組み込まれている。
５２は、その画面上での操作によって、系統保護リレー装置２０内に組み込まれているリレーユニットＡ２１あるいはリレーユニットＢ２２の装置情報データ（例えば、リレーの整定値、電流値、抵抗値、温度などの特性データ）を画面に表示して監視したり、また、リレーユニットＡ２１あるいはリレーユニットＢ２２のリレーの整定値、電圧値、抵抗値などの特性値を所定の値に設定変更して制御するためのＰＣである。ＰＣ５２は、系統保護リレー装置２０内のＩＰ中継手段２４とＴＣＰ／ＩＰケーブル６０で接続されている。
【００４３】
２１ａは、リレーユニットＡ２１とＰＣ５２とがＴＣＰ／ＩＰ通信するために、リレーユニットＡ２１内に組み込まれているＷｅｂサーバー搭載カードである。
同様に、２２ａは、リレーユニットＢ２２とＰＣ５２とがＴＣＰ／ＩＰ通信するために、リレーユニットＢ１２内に組み込まれているＷｅｂサーバー搭載カードである。
なお、実施の形態１でも説明したように、図中におけるリレーユニットに組み込まれているＣＰＵカード（参照符合なし）は、系統保護リレー装置としての基本的な動作を行わせるものであって、例えば、リレーの電流や電圧などの入力情報から、短絡などの自己判定の演算処理を実施して、その演算結果に基づいて送電線に繋がる遮断器等へのトリップ指令を出力する。
２４ａは、ＩＰアドレスを変換するＳ／Ｗが組み込まれたイーサネット（登録商標）カードであり、ＩＰ中継手段（ＩＰ中継ユニット）２４内に組み込まれている。
つまり、ＩＰ中継手段１４の機能はイーサネット（登録商標）カード２４ａの機能そのものである。
【００４４】
また、ＰＣ５２、イーサネット（登録商標）カード２４ａ、Ｗｅｂサーバー搭載カード２１ａおよびＷｅｂサーバー搭載カード２２ａは、夫々異なるＩＰアドレスが割り当てられている。
例えば、実施の形態１の場合と同様に、ＰＣ５２のＩＰアドレスとして“Ａ．Ｂ．Ｃ．Ａ”、イーサネット（登録商標）カード２４ａのＩＰアドレスとして“Ａ．Ｂ．Ｃ．Ｘ”、Ｗｅｂサーバー搭載カード２１ａのＩＰアドレスとして“Ｄ．Ｅ．Ｆ．Ｇ”、Ｗｅｂサーバー搭載カード２２ａのＩＰアドレスとして“Ｄ．Ｅ．Ｆ．Ｈ”が割り当てられているとする。
なお、Ｗｅｂサーバー搭載カード２１ａおよびＷｅｂサーバー搭載カード２２ａのＩＰアドレスは、通常は利用者が割り付けるべきＩＰアドレスでなく、導入時に設定する固定的なＩＰアドレスである。
【００４５】
また、５２ａは、ＰＣ５２がリレーユニットＡ２１あるいはリレーユニットＢ２２と通信する際に、ＰＣ５２において設定されるＵＲＬを示しており、例えば、図に示すようにリレーユニットＡ２１およびリレーユニットＢ２２の２台のリレーユニットに共通のＵＲＬとして、“ｈｔｔｐ：／／Ａ．Ｂ．Ｃ．Ｘ／＊＊．ｈｔｍｌ”が設定されているとする。
ここで、“Ａ．Ｂ．Ｃ．Ｘ”は、ＰＣ５２が接続されるＩＰ中継手段２４のＩＰアドレス（即ち、イーサネット（登録商標）カード２４ａのＩＰアドレス）である。
前述の実施の形態１においては、Ｗｅｂカード１１ａとＷｅｂカード１２ａのＰｏｒｔＮＯに対して異なるＰｏｒｔＮＯが設定されていたが、本実施の形態では、Ｗｅｂカード２１ａとＷｅｂカード２２ａ対して同じＰｏｒｔＮＯ、例えば、“８０”が設定されている。
【００４６】
図８は、ＰＣ５２からＩＰ中継手段２４に対してデータを送信する際に設定される送信データのデータ構成の例を示している。
図９は、ＩＰ中継手段２４からＰＣ５２に対してデータを送信する際に設定される送信データのデータ構成の例を示している。
図１０は、ＩＰ中継手段２４からリレーユニットＡ２１あるいはリレーユニットＢ２２に対してデータを送信する際に設定される送信データのデータ構成の例を示している。
図１１は、リレーユニットＡ２１あるいはリレーユニットＢ２２からＩＰ中継手段２４に対してデータを送信する際の送信データのデータ構成の例を示している。
また、図１２は、ＩＰ中継手段２４のイーサネット（登録商標）カード２４ａに組み込まれており、後述する“識別子”に基づいてＩＰアドレスとＰｏｒｔＮＯを変換するＳ／Ｗである変換テーブル（変換ＴＢＬ）である。
【００４７】
図７〜図１２を用いて、本実施の形態による系統保護リレー装置用のデータ通信システムの動作について説明する。
リレーユニットＡ２１の装置情報データをＰＣ５２の画面に表示させる場合について説明する。
この場合、まず、ＰＣ５２上で汎用ブラウザを起動して、ＵＲＬ５２ａで設定されているリレーユニットＡ２１およびリレーユニットＢ２２に共通のＵＲＬ“ｈｔｔｐ：／／Ａ．Ｂ．Ｃ．Ｘ／＊＊．”を指定することにより、ＰＣ５２から装置情報データを要求するアプリケーションデータＡと共に、設定されたデータがＰＣ５２からＩＰ中継手段２４のイーサネット（登録商標）カード２４ａに送信される。
【００４８】
なお、図８〜図１２において、アプリケーションデータＡあるいはアプリケーションデータＢのヘッダー部に付加されている“α”および“β”は、通信する相手のリレーユニットを識別するための“識別子”であって、本実施の形態におけるアプリケーションデータＡは、リレーユニットに対して装置情報データの送信を要求する情報と具体的にどのような装置情報データを要求するのかの情報と共に、通信する相手のリレーユニットを識別するための識別子も含まれたものである。
アプリケーションデータＡに識別子“α”が付加されていると、通信する相手のリレーユニットがリレーユニトＡ２１であり、アプリケーションデータＡに識別子“β”が付加されていると、通信する相手のリレーユニットがリレーユニトＢ２２であると識別する。
【００４９】
本実施の形態においては、ＰＣ５２からＩＰ中継手段２４のイーサネット（登録商標）カード２４ａに送信されるデータのアドレス設定内容は、図８に示すように、送信元アドレスとしてはＰＣ５２のＩＰアドレス“Ａ．Ｂ．Ｃ．Ａ”と、ブラウザが起動時に自動的に指定されるＰｏｒｔＮＯ“１０００”が設定される。
ここで、通信する相手がリレーユニットＡ２１である場合、アプリケーションデータＡに識別子“α”が付加されており、通信する相手がリレーユニットＢ２２である場合は、アプリケーションデータＡに識別子“β”が付加されている。
また、送信先アドレスとしては、ＵＲＬ５２ａから取得したＩＰアドレス“Ａ．Ｂ．Ｃ．Ｘ”とＰｏｒｔＮＯ“８０”が設定される。
なお、“Ａ．Ｂ．Ｃ．Ｘ”は、ＩＰ中継手段２４に組み込まれているイーサネット（登録商標）カード２４ａのＩＰアドレスである。
ＰＣ５２から送信されるデータは、ＴＣＰ／ＩＰケーブル６０を経由してＩＰ中継手段１４へ到達する。
【００５０】
ＩＰ中継手段２４のイーサネット（登録商標）カード２４ａは、ＰＣ５２から送信されてきたデータの送信先のＩＰアドレスが、自身のＩＰアドレスと一致するので、データを受信する。
そして、イーサネット（登録商標）カード２４ａは、受信したデータの送信先アドレスを、図１２に示した変換ＴＢＬに基づいて変換し、識別子が付加されたアプリケーションデータＡと共に、図１０のように設定された構成のデータをリレーユニット側へ送信する。
つまり、ＩＰ中継手段２４のイーサネット（登録商標）カード２４ａからリレーユニット側へ送信されるデータのアドレス設定内容は、送信元アドレスとしてはＰＣ５２から受信したデータ送信先アドレスのＩＰアドレス“Ａ．Ｂ．Ｃ．Ｘ”とＰｏｒｔＮＯ“８０”が設定され、送信先アドレスとしては、送信元アドレスを図１２に示した変換ＴＢＬに基づいて変換したＩＰアドレスとＰｏｒｔＮＯが設定される。
【００５１】
即ち、図１０に示すように、ＩＰ中継手段２４のイーサネット（登録商標）カード２４ａは、ＰＣ５２から受信したアプリケーションデータＡに識別子“α”が付加されていると、通信する相手はリレーユニットＡ２１であると判断（識別）し、送信先アドレスのＩＰアドレスを予め設定されているリレーユニットＡ２１のＩＰアドレス“Ｄ．Ｅ．Ｆ．Ｇ”に設定する。
同様に、ＰＣ５２から受信したアプリケーションデータＡに識別子“β”が付加されている場合には、通信する相手はリレーユニットＢ２２であると判断（識別）して、送信先アドレスのＩＰアドレスを予め設定されているリレーユニットＢ２２のＩＰアドレス“Ｄ．Ｅ．Ｆ．Ｈ”に設定する。
この際、ＰｏｒｔＮＯは変わらず、ＩＰアドレスの変換前後のいずれの場合も“８０”である。
【００５２】
ＩＰ中継手段２４から送信されるデータは、ハブ２３およびＴＣＰ／ＩＰケーブル６０を経由して、リレーユニットＡ２１およびリレーユニットＢ２２へ到達する。
リレーユニットＡ２１に組み込まれているＷｅｂサーバー搭載カード２１ａは、ＩＰ中継手段２４から送信されたデータの送信先のＩＰアドレス“Ｄ．Ｅ．Ｆ．Ｇ”が自身のＩＰアドレス“Ｄ．Ｅ．Ｆ．Ｇ”と一致するのでデータを受信し、任意の処理（例えば、アプリケーションデータＡの要求に応じてリレーの抵抗値や電流値を取得し、所定の応答用フォーマットにする処理など）したに後、装置情報応答用のアプリケーションデータＢを作成して、ＩＰ中継手段１４へ図１１のように構成されたデータを送信する。
【００５３】
即ち、リレーユニットＡ２１からＩＰ中継手段２４へ送信されるデータのアドレス設定内容は、図１１に示すように、送信元アドレスとしては、受信したデータの送信先アドレスのＩＰアドレス“Ｄ，Ｅ，Ｆ，Ｇ”とＰｏｒｔＮＯ“８０”が設定され、送信先アドレスとしては、受信したデータの送信元アドレスのＩＰアドレス“Ａ，Ｂ，Ｃ，Ｘ”とＰｏｒｔＮＯ“８０”が設定される。
なお、リレーユニットＢ１２は、ＩＰ中継手段１４から送信されてきたデータの送信先のＩＰアドレスが、自身に組み込まれているＷｅｂサーバー搭載カード１２ａのＩＰアドレスと一致しないので、データは受信しない。
【００５４】
リレーユニットＡ２１から送信されたデータは、ＴＣＰ／ＩＰケーブル６０およびハブ２３を経由して、ＩＰ中継手段２４やリレーユニットB２２に到達する。
ＩＰ中継手段２４にあるイーサネット（登録商標）カード２４ａは、受信したデータの送信先アドレスのＩＰアドレスが、自身のＩＰアドレスと一致するので、データを受信し、受信したデータの送信先アドレスを図１２に示した変換ＴＢＬで変換し、アプリケーションデータBと共に、図９のように設定されたデータをＰＣ５１へ送信する。
即ち、ＩＰ中継手段２４からＰＣ５２へ送信されるデータのアドレス設定内容は、図９に示すように、送信元アドレスには、受信したデータの送信先アドレスのＩＰアドレス“Ａ，Ｂ，Ｃ，Ｘ”と、ＰｏｒｔＮＯ“８０”が設定され、送信先アドレスには、送信元アドレスを変換ＴＢＬで変換したＩＰアドレス“Ａ，Ｂ，Ｃ，Ａ”と、ＰｏｒｔＮＯ“１０００”が設定される。
この際、リレーユニットＡ２１から送信されるアプリケーションデータＢには識別子“α”が付加されており、リレーユニットＢ２２から送信されるアプリケーションデータＢには識別子“β”が付加されている。
なお、リレーユニットB２２は、リレーユニットＡ２１から送信されたデータの送信先のＩＰアドレスが、自身に組み込まれているＷｅｂサーバー搭載カード２２ａのＩＰアドレスと一致しないので、データは受信しない。
【００５５】
ＩＰ中継手段２４のイーサネット（登録商標）カード２４ａから送信されたデータは、ＴＣＰ／ＩＰケーブル６０を経由して、ＰＣ５２に到達する。
ＰＣ５２は、送信されてきたデータの送信先アドレスのＩＰアドレス“Ａ，Ｂ，Ｃ，Ａ”がＰＣ５２自身のＩＰアドレス“Ａ，Ｂ，Ｃ，Ａ”と一致するのでデータを受信し、アプリケーションデータＢに対して任意の処理を施して、ＰＣ５２上の画面にリレーユニットＡ２２の装置情報データを表示する。
【００５６】
以上は、リレーユニットＡ２１の装置情報データをＰＣ５２の画面に表示させる場合について説明したが、ＰＣ５２からリレーユニットＡ２１を制御（即ち、制御対象のリレーユニットのリレーの整定値、電圧値、抵抗値などの特性値を所定の値に設定変更）する場合には、実施の形態１と同様に、ＰＣ５２から送信するアプリケーションデータＡとして、設定変更する対象（整定値、電圧値、抵抗値など）およびその具体的設定値の情報を盛り込んだものとすればよい。
このように、送信するアプリケーションデータＡに識別子を付加することにより、１台の系統保護リレー装置の中に複数のリレーユニットが組み込まれている場合であっても、夫々のリレーユニットにＩＰアドレスを割り振る必要がなく、１つのＩＰアドレスで所望のリレーユニットとＴＣＰ／ＩＰ通信を行い、リレーユニットを制御することができる。
【００５７】
なお、これまでの説明では、リレーユニットＡ２１とＴＣＰ／ＩＰ通信を行って、リレーユニットＡ２１を監視あるいは制御する場合について述べているが、リレーユニットＢ２２を監視あるいは制御する場合でも、同様な手順でＩＰアドレスおよびＰｏｒｔＮＯを設定して、ＴＣＰ／ＩＰ通信を行い、リレーユニットＢ２２を監視あるいは制御することができる。
また、系統保護リレー装置に組み込まれるリレーユニットとして、２台の場合を例として説明しているが、これに限定されるものではなく、３台以上のリレーユニットが組み込まれていてもよい。
【００５８】
以上説明したように、本実施の形態による系統保護リレー装置用のデータ通信システムは、監視・制御用のパーソナルコンピュータ（５２）の操作によって、複数のリレーユニット（例えば、リレーユニットＡ２１、リレーユニットＢ２２）で構成された系統保護リレー装置（２０）の所望のリレーユニットに接続してＴＣＰ／ＩＰ通信を行い、接続したリレーユニットの装置情報データを監視・制御用のパーソナルコンピュータ（５２）の画面に表示させ、また、接続したリレーユニットの特性設定値を制御する系統保護リレー装置用のデータ通信システムであって、送信されるアプリケーションデータに通信する相手のリレーユニットを識別する識別子が付加されており、系統保護リレー装置（２０）は、識別子に基づいて、通信する相手のリレーユニットを設定する機能を有するＩＰ中継手段（２４）を備えている。
これによって、実施の形態１の場合と同様に、１台の系統保護リレー装置の中に複数のリレーユニットが組み込まれている場合でも、１つのＩＰアドレスを割り当てるだけで、所望のリレーユニットの監視・制御が可能となる。
【００５９】
実施の形態３．
図１３は、この発明の実施の形態３による系統保護リレー装置用のデータ通信システムの構成例を示す図である。
図１３において、３０は系統保護リレー装置であり、系統保護リレー装置３０の中には、リレーユニットＡ３１、ハブ３３、ＩＰ中継手段（ＩＰ中継ユニット）３４が組み込まれている。
５３は、その画面上での操作によって、系統保護リレー装置３０内に組み込まれているリレーユニットＡ３１の装置情報データ（例えば、リレーの整定値、電流値、抵抗値、温度などの特性データ）を画面に表示して監視したり、また、リレーユニットＡ３１のリレーの整定値、電圧値、抵抗値などの特性値を所定の値に設定変更して制御するためのＰＣである。
ＰＣ５３は、図に示すように、系統保護リレー装置３０内のＩＰ中継手段３４とＴＣＰ／ＩＰケーブル６０で接続されている。
【００６０】
３１ａは、リレーユニットＡ３１とＰＣ５３とがＴＣＰ／ＩＰ通信するために、リレーユニットＡ３１内に組み込まれているＷｅｂサーバー搭載カードである。
さらに、本実施の形態では、故障時のバックアップ用として、リレーユニットＡ３１内にＷｅｂサーバー搭載カード３１ａとは異なるＩＰアドレスが設定されている別のＷｅｂサーバー搭載カード３１ｂが組み込まれている。
なお、実施の形態１および２で説明したように、図中におけるリレーユニットＡ３１に組み込まれているＣＰＵカード（参照符合なし）は、系統保護リレー装置としての基本的な動作を行わせるものであって、例えば、リレーの電流や電圧などの入力情報から、短絡などの自己判定の演算処理を実施して、その演算結果に基づいて送電線に繋がる遮断器等へのトリップ指令を出力する。
【００６１】
ＩＰ中継手段（ＩＰ中継ユニット）３４には、緊急時（即ち、例えば、使用中のＷｅｂサーバー搭載カードが故障してＰＣ５３とリレーユニットＡ３１間の通信が不能となった時）に自動的にＷｅｂサーバー搭載カードのＩＰアドレスを変換する機能のＳ／Ｗが組み込まれたイーサネット（登録商標）カード３４ａが組み込まれている。
ＰＣ５３、イーサネット（登録商標）カード３４ａ、Ｗｅｂサーバー搭載カード３１ａ、Ｗｅｂサーバー搭載カード３１ｂは、互いに異なるＩＰアドレスが割り振られているものとする。
例えば、図に示すように、ＰＣ５３のＩＰアドレスとして“Ａ．Ｂ．Ｃ．Ａ”、イーサネット（登録商標）カード３４ａのＩＰアドレスとして“Ａ．Ｂ．Ｃ．Ｘ”、Ｗｅｂサーバー搭載カード３１ａのＩＰアドレスとして“Ｄ．Ｅ．Ｆ．Ｇ”、Ｗｅｂサーバー搭載カード３１ｂのＩＰアドレスとして“Ｄ．Ｅ．Ｆ．Ｈ”が割り当てられている。
但し、Ｗｅｂサーバー搭載カード３１ａおよびＷｅｂサーバー搭載カード３１ｂのＩＰアドレスは、通常、利用者が割り当てるべきＩＰアドレスでなく、導入時に設定する固定的なＩＰアドレスである。
【００６２】
図１３に基づいて、本実施の形態による系統保護リレー装置用のデータ通信システムの特徴的な動作について説明する。
本実施の形態におけるＩＰ中継手段３４のイーサネット（登録商標）カード３４ａは、リレーユニットＡ３１に組み込まれているＷｅｂサーバー搭載カードの異常（例えば、Ｗｅｂサーバー搭載カードからデータが送信されなかったり、あるいは送信されたデータが正しいフォーマットでないような状態）の有無を検出する機能（Ｓ／Ｗ）を備えている。
そして、イーサネット（登録商標）カード３４ａは、通信する相手のリレーユニットＡ３１のＷｅｂサーバー搭載カード３１ａが正常な場合は、ＰＣ５３とＷｅｂサーバー搭載カード３１ａとを接続するようにＩＰアドレスを変換して通信を実施する。
また、ＩＰ中継手段３４のイーサネット（登録商標）カード３４ａは、リレーユニットＡ３１のＷｅｂサーバー搭載カード３１ａが異常であると判断すると、接続先のＷｅｂサーバー搭載カードのＩＰアドレスを、同じリレーユニットＡ３１に組み込まれている別の正常なＷｅｂサーバー搭載カード３１ｂのＩＰアドレスに変換する。
【００６３】
本実施の形態におけるＩＰ中継手段３４のイーサネット（登録商標）カード３４ａは、データをＷｅｂサーバー搭載カード３１ａへ送信し、一定時間の間、Ｗｅｂサーバー搭載カード３１ａから応答がなかったり、あるいはＷｅｂサーバー搭載カード３１ａから取得した応答データのフォーマットが想定外（例えば、必ず設定されているはずのフラグがない）の場合には、数回程度Ｗｅｂサーバー搭載カード３１ａに対してデータの再送要求を行う。
それでも、このような異常な現象が継続している場合には、Ｗｅｂサーバー搭載カード３１ａは故障であると判断して、接続先のＷｅｂサーバー搭載カードのＩＰアドレスを別の正常なＷｅｂサーバー搭載カード３１ｂのＩＰアドレスに変換する。
このようにすることにより、リレーユニットＡ３１のＷｅｂサーバー搭載カード３１ａが故障しても、バックアップ用のＷｅｂサーバー搭載カード３１ｂに自動的に切り換えて通信を続けることが可能となる。
なお、上述の説明では、１台の系統保護リレー装置３０の中に１つのリレーユニットＡ３１が配置されている場合について説明したが、これに限るものではなく、実施の形態１や実施の形態２において、複数のリレーユニットのそれぞれに、故障時のバックアップ用のＷｅｂサーバー搭載カードを組み込み、かつ、そのＩＰ中継手段にＷｅｂサーバー搭載カードの異常の有無を検出する機能（Ｓ／Ｗ）を追加させてもよい。
【００６４】
以上説明したように、本実施しの形態による系統保護リレー装置用のデータ通信システムは、監視・制御用のパーソナルコンピュータ５３）の操作によって、系統保護リレー装置（３０）のリレーユニットＡ（３１）に接続してＴＣＰ／ＩＰ通信を行い、接続したリレーユニットＡ（３１）の装置情報データを監視・制御用のパーソナルコンピュータ（５３）の画面に表示させ、また、接続したリレーユニットＡ（３１）の特性設定値を制御する系統保護リレー装置用のデータ通信システムであって、リレーユニットＡ（３１）は、ＩＰアドレスが異なる複数のＷｅｂサーバー搭載カード（３１ａ、３１ｂ）が配置されており、通信が正常に行えないＷｅｂサーバー搭載カード（３１ａ）を検出すると、送信先を別のＷｅｂサーバー搭載カード（３１ｂ）のＩＰアドレスへ変更して通信を行わせる機能を有するＩＰ中継手段（３４）を備えている。
これにより、通信中のＷｅｂサーバー搭載カードが壊れて通信が正常に行えない場合でも、別のＷｅｂサーバー搭載カードを経由してリレーユニットを監視したり制御することができる。
【産業上の利用可能性】
【００６５】
この発明は、１台の系統保護リレー装置の中に複数のリレーユニットが組み込まれている場合であっても、１つのＩＰアドレスで複数のリレーユニットとＴＣＰ／ＩＰ通信を行って、リレーユニットを監視あるいは制御することが可能な系統保護リレー装置のデータ通信システムの実現に有用である。
【図面の簡単な説明】
【００６６】
【図１】この発明の実施の形態１による系統保護リレー装置用のデータ通信システムの構成例を示す図である。
【図２】実施の形態１において、ＰＣからＩＰ中継手段に対して送信されるデータのデータ構成例を示す図である。
【図３】実施の形態１において、ＩＰ中継手段からＰＣに対して送信されるデータのデータ構成例を示す図である。
【図４】実施の形態１において、ＩＰ中継手段からリレーユニット側に対して送信されるデータのデータ構成例を示す図である。
【図５】実施の形態１において、リレーユニット側からＩＰ中継手段に対して送信されるデータのデータ構成例を示す図である。
【図６】実施の形態１において、ＩＰ中継手段に組み込まれている変換テーブルを示す図である。
【図７】この発明の実施の形態２による系統保護リレー装置用のデータ通信システムの構成例を示す図である。
【図８】実施の形態２において、ＰＣからＩＰ中継手段に対して送信されるデータのデータ構成例を示す図である。
【図９】実施の形態２において、ＩＰ中継手段からＰＣに対して送信されるデータのデータ構成例を示す図である。
【図１０】実施の形態２において、ＩＰ中継手段からリレーユニット側に対して送信されるデータのデータ構成例を示す図である。
【図１１】実施の形態２において、リレーユニット側からＩＰ中継手段に対して送信されるデータのデータ構成例を示す図である。
【図１２】実施の形態２において、ＩＰ中継手段に組み込まれている変換テーブルを示す図である。
【図１３】この発明の実施の形態３による系統保護リレー装置用のデータ通信システムの構成例を示す図である。
【図１４】従来の系統保護リレー装置用のデータ通信システムを示す図である。
【図１５】従来の系統保護リレー装置用のデータ通信システムにおいて、ＰＣからリレーユニット側に対して送信されるデータのデータ構成を示す図である。
【図１６】従来の系統保護リレー装置用のデータ通信システムにおいて、リレーユニット側からＰＣに対して送信されるデータのデータ構成を示す図である。
【符号の説明】
【００６７】
１０、２０、３０  系統保護リレー装置
１１、２１、３１  リレーユニットＡ
１２、２２  リレーユニットＢ
１１ａ、２１ａ、３１ａ、３１ｂ  リレーユニットＡのＷｅｂサーバー搭載カード
１２ａ、２２ａ  リレーユニットＢのＷｅｂサーバー搭載カード
１３、２３、３３  ハブ
１４、２４、３４  ＩＰ中継手段
１４ａ、２４ａ、３４ａ  イーサネット（登録商標）カード
５１、５２、５３  ＰＣ
５１ａ、５２ａ、５３ａ  リレーユニットのＵＲＬ
６０  ＴＣＰ／ＩＰケーブル
【図１】
2006311407.tif 000003
【図２】
2006311407.tif 000004
【図３】
2006311407.tif 000005
【図４】
2006311407.tif 000006
【図５】
2006311407.tif 000007
【図６】
2006311407.tif 000008
【図７】
2006311407.tif 000009
【図８】
2006311407.tif 000010
【図９】
2006311407.tif 000011
【図１０】
2006311407.tif 000012
【図１１】
2006311407.tif 000013
【図１２】
2006311407.tif 000014
【図１３】
2006311407.tif 000015
【図１４】
2006311407.tif 000016
【図１５】
2006311407.tif 000017
【図１６】
2006311407.tif 000018